(57)【要約】【課題】液晶パネルをユーザーが観察しやすいように位置決めすることができ、且つ、液晶パネルに帯電する静電気を逃すことができるようにする。【解決手段】一端がリアパネル１２の内面に当接し、他端が液晶パネル３０の表示画面３１に当接して付勢する表示前面側緩衝部材４０と、一端が液晶パネルホルダ４５に当接し、他端が液晶パネル３０の背面に当接して付勢する表示背面側緩衝部材４１とを設け、表示前面側緩衝部材４０及び表示背面側緩衝部材４１は電導性ゴムで形成され、液晶パネル３０を両側から付勢して挟持する。調整ネジ４４は、リアパネル１２に形成されたネジ孔２８を介して係合部材４４に形成された雌ネジ部４４に螺合し、ユーザーが調整ネジ４４を操作することで、表示前面側緩衝部材４０の伸縮量が調整されて、液晶パネル３０が位置決めされる。【選択図】        図４
2004200921.tif 000002
【特許請求の範囲】
【請求項１】
表示窓が設けられた外装パネルの内面側に、支持部材によって支持された画像表示用の液晶パネルが組み込まれたデジタルカメラにおいて、一端が前記外装パネルの内面に当接し、他端が前記液晶パネルの前面に当接して付勢する、弾性を有する第１の緩衝部材と、一端が前記支持部材に当接し、他端が前記液晶パネルの背面に当接して付勢する、弾性を有する第２の緩衝部材と、前記第１の緩衝部材と前記第２の緩衝部材とに挟持された前記液晶パネルの位置決めを行なうために、前記第１の緩衝部材の伸縮量を調整する緩衝部材調整手段とを備えたことを特徴とするデジタルカメラ。
【請求項２】
前記緩衝部材調整手段は、調整ネジと、この調整ネジと係合する係合部材とを備え、前記調整ネジは、前記外装パネルに形成されたネジ孔を介して前記係合部材に形成された雌ネジ部に螺合し、ユーザーが前記調整ネジを操作することで、前記係合部材によって前記第１の緩衝部材が押圧され、前記第１の緩衝部材の伸縮量が調整されることを特徴とする請求項１記載のデジタルカメラ。
【請求項３】
前記第１の緩衝部材及び前記第２の緩衝部材は、導電性であることを特徴とする請求項１又は請求項２記載のデジタルカメラ。
【発明の詳細な説明】
【０００１】
【発明の属する技術分野】
本発明は、撮影時のビューファインダや撮影済み画像のモニタとなる液晶パネルを外装パネルの内面側に組み込んだデジタルカメラに関するものである。
【０００２】
【従来の技術】
イメージセンサで撮像して得た画像データをメモリに記録するデジタルカメラが種々市販され、中にはスチル画像だけでなく動画を撮像することが可能なものも提供されている。スチル画像，動画のいずれに対応するものであれ、撮像時にはビューファインダを通して被写体像の確認を行い、また撮像後には画像再生してこれを観察することができるように、デジタルカメラには液晶パネルが組み込まれている。
【０００３】
従来、この種の液晶パネルが組み込まれた電子機器装置では、液晶パネルの防塵対策、緩衝対策を目的として、液晶パネルの外周に、外装パネルとの間の隙間をなくすようにゴム等が取り付けられている（例えば、特許文献１）。
【０００４】
【特許文献１】
特開平５−３２４５６２号公報
【０００５】
【発明が解決しようとする課題】
しかしながら、上記の従来例は、液晶パネルの位置を調整するための手段を持っていない。これでは、太陽光が液晶パネルによって反射される場合等において、ユーザーは自身を液晶パネルに対して見やすい位置へ移動しなければならない。特に、デジタルカメラのように、動画撮影中に液晶パネルをビューファインダとして長時間使用する場合には、ユーザーは液晶パネルを良好に観察するためにとった姿勢で撮影を続けることとなり、ユーザーに対する負担が大きい。
【０００６】
また、上記の従来例では、液晶パネルはゴム等の絶縁性部材で支持されているため、液晶パネルに静電気が帯電した場合、この静電気は外部に逃れることができない。これでは、装置内部の電気回路等にノイズ等の影響が生じる恐れがある。
【０００７】
本発明はかかる問題点に鑑みてなされたものであり、液晶パネルをユーザーが観察しやすいように位置決めすることを可能とし、且つ、液晶パネルに帯電する静電気を逃すことを可能とするとともに、液晶パネルの緩衝効果や防塵効果を有するデジタルカメラを提供することを目的とする。
【０００８】
【課題を解決するための手段】
上記目的を達成するために、本発明のデジタルカメラは、表示窓が設けられた外装パネルの内面側に、支持部材によって支持された画像表示用の液晶パネルが組み込まれたデジタルカメラにおいて、一端が前記外装パネルの内面に当接し、他端が前記液晶パネルの前面に当接して付勢する、弾性を有する第１の緩衝部材と、一端が前記支持部材に当接し、他端が前記液晶パネルの背面に当接して付勢する、弾性を有する第２の緩衝部材と、前記第１の緩衝部材と前記第２の緩衝部材とに挟持された前記液晶パネルの位置決めを行なうために、前記第１の緩衝部材の伸縮量を調整する緩衝部材調整手段とを備えたことを特徴とするものである。
【０００９】
また、前記緩衝部材調整手段は、調整ネジと、この調整ネジと係合する係合部材とを備え、前記調整ネジは、前記外装パネルに形成されたネジ孔を介して前記係合部材に形成された雌ネジ部に螺合し、ユーザーが前記調整ネジを操作することで、前記係合部材によって前記第１の緩衝部材が押圧され、前記第１の緩衝部材の伸縮量が調整されることが好ましい。
【００１０】
また、前記第１の緩衝部材及び前記第２の緩衝部材は、導電性であることが好ましい。
【００１１】
【発明の実施の形態】
図１及び図２に本発明を用いたデジタルカメラ２の前面側及び背面側の外観を示す。カメラボディ１０はその外装パネルとしてフロントパネル１１及びリアパネル１２を含む。フロントパネル１１には撮像窓１３が設けられ、その奥に撮像レンズ１４が組み込まれている。このデジタルカメラ２は、後述する液晶パネル３０をビューファインダとして用いることができるほかに、電源の節約のために実像式の光学ファインダを備え、その対物窓１５が設けられている。また、カメラボディ１０の上面にはシャッタレリーズ操作に用いるシャッタボタン１６が設けられている。
【００１２】
カメラボディ１０の背面側に表示窓２０が設けられ、その奥に組み込まれた液晶パネル３０の表示画面３１を保護するために、透明プレート２１が表示窓２０を覆うようにリアパネル１２に貼り付けられている。液晶パネル３０の表示画面３１には、撮像レンズ１４を通してイメージセンサで撮像された被写体画像がリアルタイムで表示され、撮像時のビューファインダとして利用することができる。再生時には撮像して得られた画像データをメモリから読み出し、表示画面３１にその画像を表示してモニタすることも可能である。また、表示窓２０の上方及び下方には、調整ネジ４２が設けられている。後述するように、ユーザーが調整ネジ４２を操作することで、液晶パネル３０の透明プレート２１に対する角度や奥行きを調整することができる。
【００１３】
カメラボディ１０の背面には、光学ファインダの接眼窓２３のほかに各種の操作ボタンやキーなど有する操作部２４が設けられ、操作部２４を操作して撮像モード，再生モードの切り替えや、各種の初期設定を行うことができる。なお、初期設定操作時には液晶パネルの表示画面３１には適宜のメニュー表示が行われる。
【００１４】
図３は、デジタルカメラ２を分解した状態を示す分解斜視図である。リアパネル１２には開口２７が形成され、この開口２７はリアパネル１２の外側から透明プレート２１で覆われている。リアパネル１２の内面には、開口２７を取り囲むように弾性及び電導性をもつ表示前面側緩衝部材４０が取り付けられている。この表示前面側緩衝部材４０は、液晶パネル３０の外形に応じた大きさに形成され、デジタルカメラ２が組み立てられた状態で、表示画面３１を取り囲んで表示画面３１の周縁に接着される。このように表示前面側緩衝部材４０は、液晶パネル３０とリアパネル１２との隙間をなくすので、防塵効果が得られるとともに、リアパネル１２側から液晶パネル３０へ伝わる振動や衝撃を和らげる緩衝材としても機能する。また、リアパネル１２は金属板で形成され、表示前面側緩衝部材４０は、例えば伝導性ゴムで形成される。液晶パネル３０は、リアパネル１２と表示前面側緩衝部材４０を介して通電するので、液晶パネル３０に帯電する静電気をリアパネル１２へ逃すことができる。
【００１５】
液晶パネル３０の側部には、後述する液晶パネルホルダ４５に係合するための一対の突起３３が形成されている。液晶パネル３０の下端部からは、光源点滅用のリード線３４や画像表示用のフレキシブル配線板３５が引き出されており、適宜のコネクタを介して図示しない回路基板に接続されている。
【００１６】
液晶パネルホルダ４５は金属薄板で形成され、図示しない基板等と通電する。液晶パネルホルダ４５は、液晶パネル３０をその背面側から支持するとともに、弾性及び電導性をもつ表示背面側緩衝部材４１を液晶パネル３０との間で挟持する。表示背面側緩衝部材４１の一端は液晶パネル３０の背面に接着され、表示背面側緩衝部材４１の他端は液晶パネルホルダ４５に接着されるので、液晶パネルホルダ４５側から液晶パネル３０へ伝わる振動や衝撃を和らげる緩衝材として機能する。また、表示背面側緩衝部材４１は、例えば伝導性ゴムで形成される。液晶パネル３０は、液晶パネルホルダ４５と表示背面側緩衝部材４１を介して通電するので、液晶パネル３０に帯電する静電気を液晶パネルホルダ４５へ、更には基板等へ逃すことができる。
【００１７】
調整ネジ４２と係合する係合部材４３には、雌ネジ部４４が形成されている。調整ネジ４２は、リアパネル１２に形成されたネジ孔２８を介して、係合部材４３の雌ネジ部４４に螺合する。調整ネジ４２が雌ネジ部４４に螺合した状態で、係合部材４３は液晶パネル３０の背面に当接し、調整ネジ４２の螺入量に応じて表示前面側緩衝部材４０が押圧される。
【００１８】
上記の各構成部材を組み立てた状態における、液晶パネル３０とその周辺部の縦断面図を図４に示す。図４（ａ）は、液晶パネル３０が表示前面側緩衝部材４０と表示背面側緩衝部材４１とによって両側から付勢されて均衡がとれた状態を示す。液晶パネル３０は、表示前面側緩衝部材４０と表示背面側緩衝部材４１とに接着されているが、液晶パネルホルダ４５には接着されていない。液晶パネル３０は、液晶パネル３０の側面にある突起３３が液晶パネルホルダ４５の延出部４６に係合して、液晶パネルホルダ４５に枢支されており、表示前面側緩衝部材４０と表示背面側緩衝部材４１との伸縮量に応じて回動や水平方向への移動が自在である。
【００１９】
図４（ｂ）は、図４（ａ）の液晶パネル３０の均衡がとれた状態から調整ネジ４２を操作し、調整ネジ４２の係合部材４３への螺入量を変化させた態様の一例を示す。透明プレート２１の下方にある調整ネジ４２の螺入量を多くするように調整ネジ４２を操作すると、これに対応する係合部材４３は、液晶パネル３０の下端を押圧するので、表示前面側緩衝部材４０の下端が縮む。これによって、表示前面側緩衝部材４０の上端は伸びようとするので、透明プレート２１の上方にある調整ネジ４２の螺入量を適宜調整する。このように、ユーザーは、調整ネジ４２を操作することによって、表示画面３１の透明プレート２１に対する角度を観察しやすい角度に変更することができる。また、図示しないが、透明プレート２１の上方及び下方にある調整ネジ４２の螺入量を、ともに多くしたり、ともに少なくしたりするように調整ネジ４２を操作することで、表示画面３１は水平方向へ移動するので、透明プレート２１に対する奥行きを変更することもできる。
【００２０】
このように、振動や衝撃の緩衝を行なうため、或いはまた、防塵を行なうために液晶パネル３０の表示画面３１に接着された表示前面側緩衝部材４０の伸縮量を、上記に示した調整ネジ４２と係合部材４３から成る緩衝部材調整手段により変更するだけで簡単に液晶パネル３０の位置決めを行なうことが可能となり、ユーザーが観察しやすいように液晶パネル３０の角度や奥行きを調整することができる。また同時に、液晶パネル３０に帯電する静電気を逃すことが可能となり、デジタルカメラ２内部に生じるノイズを低減することができる。
【００２１】
デジタルカメラ２は、上記のような簡単な構造であるので、液晶パネル３０の外装パネルへの取り付けは従来と同程度な容易さを有するとともに、デジタルカメラ本体の小型化及び低重量化にも適する。
【００２２】
なお、図示の例では、調整ネジ４２を表示窓２０の上方及び下方に設けたが、係合部材４３によって表示前面側緩衝部材４０が押圧されれば、設置位置や個数は適宜変更できる。
【００２３】
また、本発明は、リアパネル１２だけでなく、デジタルカメラの外装パネルとなるフロントパネルや、カメラボディの上面がトップパネルで覆われているものでは、トップパネルに対して液晶パネルが組み込まれた場合にも等しく用いることが可能である。
【００２４】
さらに、本発明は、デジタルカメラだけでなく、従来のスチルカメラや携帯電話等の液晶パネルが組み込まれた電子機器装置であれば等しく用いることが可能である。
【００２５】
【発明の効果】
以上に説明したとおり、本発明によれば、弾性及び電導性をもつ第１及び第２の緩衝部材で液晶パネルを挟持し、外装パネルと液晶パネルとに当接した第１の緩衝部材の伸縮量を調整することで、液晶パネルをユーザーが観察しやすいように位置決めすることを可能とし、且つ、液晶パネルに帯電する静電気を逃すことを可能とするとともに、液晶パネルの緩衝効果や防塵効果を有するデジタルカメラを提供することができる。
【図面の簡単な説明】
【図１】本発明を実施したデジタルカメラの前面外観斜視図である。
【図２】本発明を実施したデジタルカメラの背面外観斜視図である。
【図３】本発明を実施したデジタルカメラの要部分解斜視図である。
【図４】本発明を実施したデジタルカメラの要部縦断面図である。
【符号の説明】
２  デジタルカメラ
１０  カメラボディ
１２  リアパネル
２０  表示窓
２１  透明プレート
２８  ネジ孔
３０  液晶パネル
３３  突起
３１  表示画面
４０  表示前面側緩衝部材
４１  表示背面側緩衝部材
４２  調整ネジ
４４  雌ネジ部
４５  液晶パネルホルダ
４６  延出部
【図１】
2004200921.tif 000003
【図２】
2004200921.tif 000004
【図３】
2004200921.tif 000005
【図４】
2004200921.tif 000006